(57)【要約】【課題】利用者のひらめきの創出を支援し、ひらめき創出の効率化を図ることができる情報提供装置、情報提供方法、およびプログラムを提供することを目的とする。【解決手段】情報提供装置は、第１データ群から抽出した第１のデータと、第２データ群から抽出した第２のデータとを組み合わせて表示する情報提供装置であって、ジャンル分けされたデータ群を第１データ群として記憶する第１記憶部と、第１データ群のジャンルに関連したデータ群を第２データ群として記憶する第２記憶部と、を備える。【選択図】図１
2019179485.tif 000002
【特許請求の範囲】
【請求項１】
第１データ群から抽出した第１のデータと、第２データ群から抽出した第２のデータとを組み合わせて表示する情報提供装置であって、
ジャンル分けされたデータ群を前記第１データ群として記憶する第１記憶部と、
前記第１データ群のジャンルに関連したデータ群を前記第２データ群として記憶する第２記憶部と、
を備える情報提供装置。
【請求項２】
前記第１データ群は、予め設定されたものである、請求項１に記載の情報提供装置。
【請求項３】
前記第２データ群は、システム使用者によって設定されたものである、請求項１または請求項２に記載の情報提供装置。
【請求項４】
前記第１データ群のデータは画像であり、
前記第２データ群のデータは画像である、請求項１から請求項３のいずれか１項に記載の情報提供装置。
【請求項５】
前記第１のデータの画像および前記第２のデータの画像の少なくとも１つに対して、画像加工して組み合わせて表示させる加工部を備える、請求項４に記載の情報提供装置。
【請求項６】
前記第１のデータの画像および前記第２のデータの画像に対して、人工知能を用いて画像加工して組み合わせて表示させる加工部を備える、請求項４に記載の情報提供装置。
【請求項７】
ジャンル分けされたデータ群を第１データ群として記憶する第１記憶部と、前記第１データ群のジャンルに関連したデータ群を第２データ群として記憶する第２記憶部と、を有する情報提供装置における情報提供方法であって、
第１抽出部が、前記第１データ群から第１のデータを抽出するステップと、
第２抽出部が、前記第２データ群から第２のデータを抽出するステップと、
組合部が、前記第１のデータと前記第２のデータとを組み合わせて表示するステップと、
を含む情報提供方法。
【請求項８】
ジャンル分けされたデータ群を第１データ群として記憶する第１記憶部と、前記第１データ群のジャンルに関連したデータ群を第２データ群として記憶する第２記憶部と、を有する情報提供装置のコンピュータに、
前記第１データ群から第１のデータを抽出するステップと、
前記第２データ群から第２のデータを抽出するステップと、
前記第１のデータと前記第２のデータとを組み合わせて表示するステップと、
を実行させるプログラム。
【発明の詳細な説明】
【技術分野】
【０００１】
本発明は、情報提供装置、情報提供方法、およびプログラムに関する。
【背景技術】
【０００２】
ひらめきを想起させるに、利用者が入力した第１ワードと、無作為に抽出した第２ワードとを組み合わせて利用者に提供することで、利用者の発想を触発して新たな着想へと導くことができる発想支援装置が発明者らによって提案されている（例えば特願２０１７−１５７６１１号参照）。そして、ひらめきを想起させるにあたって、効率のよいアイデアが出ることが望まれている。
【０００３】
また、テストなどの解答結果に基づいて、学習者の習得に関する特性を抽出する技術が知られている。一般的な学校での授業スタイルでは、講師が受講者の間を回る机間巡視によって、受講者の理解度等を把握していた。しかし、この形態では、１人の講師が１度にチェックできる人数が限られており、各受講者の理解度等を正確かつ迅速に把握することが困難であった。このため、解析装置が、受講者が解答欄に問題の解答を電子ペンシステムで記入した場合に、その筆跡を示す記入情報に基づき、記入者である受講者の理解度や問題の難易度を決定することが提案されている（例えば特許文献１参照）。特許文献１に記載の技術では、電子ペンが回答欄に接触するペンダウンから、回答欄から離れるペンアップまでの軌跡をストローク情報として検出する。そして、特許文献１に記載の技術では、このストローク情報に基づき、問題ごとのストローク数、解答時間、ストローク長、解答用紙内での記入エリアの面積、筆圧、ストローク同士の距離、記入の向き、ストロークの分布などを認識する。さらに、特許文献１に記載の技術では、認識した情報に基づき、受講者が集中しているか、つまずきがあったか、ひらめきがあったか、グループワークがうまくいっているかなどの受講者の状態を検出する。なお、特許文献１に記載の技術では、単位時間ごとのストローク数の増加率が所定値を超えた場合に、ひらめきがあったと判断する。
【先行技術文献】
【特許文献】
【０００４】
【特許文献１】特開２０１５−１６１８９２号公報
【発明の概要】
【発明が解決しようとする課題】
【０００５】
しかしながら、特許文献１に記載の技術では、電子ペンのストロークに基づいて、ひらめきがあったかを検出しているのみで、利用者のひらめきの創出を支援することはできない。
【０００６】
本発明は、上記の問題点に鑑みてなされたものであって、利用者のひらめきの創出を支援し、ひらめき創出の効率化を図ることができる情報提供装置、情報提供方法、およびプログラムを提供することを目的とする。
【課題を解決するための手段】
【０００７】
（１）上記目的を達成するため、本発明の一態様に係る情報提供装置（１，１Ａ）は、第１データ群から抽出した第１のデータと、第２データ群から抽出した第２のデータとを組み合わせて表示する情報提供装置であって、ジャンル分けされたデータ群を前記第１データ群として記憶する第１記憶部（１０１）と、前記第１データ群のジャンルに関連したデータ群を前記第２データ群として記憶する第２記憶部（１０３）と、を備える。
【０００８】
（２）また、本発明の一態様に係る情報提供装置において、前記第１データ群は、予め設定されたものであるようにしてもよい。
【０００９】
（３）また、本発明の一態様に係る情報提供装置において、前記第２データ群は、システム使用者によって設定されたものであるようにしてもよい。
【００１０】
（４）また、本発明の一態様に係る情報提供装置において、前記第１データ群のデータは画像であり、前記第２データ群のデータは画像であるようにしてもよい。
【００１１】
（５）また、本発明の一態様に係る情報提供装置は、前記第１のデータの画像および前記第２のデータの画像の少なくとも１つに対して、画像加工して組み合わせて表示させる加工部（１０６）を備えるようにしてもよい。
【００１２】
（６）また、本発明の一態様に係る情報提供装置、前記第１のデータの画像および前記第２のデータの画像に対して、人工知能を用いて画像加工して組み合わせて表示させる加工部を備えるようにしてもよい。
【００１３】
（７）上記目的を達成するため、本発明の一態様に係る情報提供方法は、ジャンル分けされたデータ群を第１データ群として記憶する第１記憶部と、前記第１データ群のジャンルに関連したデータ群を第２データ群として記憶する第２記憶部と、を有する情報提供装置における情報提供方法であって、第１抽出部が、前記第１データ群から第１のデータを抽出するステップと、第２抽出部が、前記第２データ群から第２のデータを抽出するステップと、組合部が、前記第１のデータと前記第２のデータとを組み合わせて表示するステップと、を含む。
【００１４】
（８）上記目的を達成するため、本発明の一態様に係るプログラムは、ジャンル分けされたデータ群を第１データ群として記憶する第１記憶部と、前記第１データ群のジャンルに関連したデータ群を第２データ群として記憶する第２記憶部と、を有する情報提供装置のコンピュータに、前記第１データ群から第１のデータを抽出するステップと、前記第２データ群から第２のデータを抽出するステップと、前記第１のデータと前記第２のデータとを組み合わせて表示するステップと、を実行させる。
【発明の効果】
【００１５】
上述した（１）または（７）あるいは（８）によれば、第１のデータと、第１のデータに対応したジャンルの第２のデータとを提供することができるので、利用者のひらめきの創出を支援し、ひらめき創出の効率化を図ることができる。
【００１６】
上述した（２）または（３）によれば、利用者が予め第１のデータを設定する手間を省くことができる。
上述した（４）によれば、第１のデータである画像と、第２のデータである画像を組み合わせて提供することができる。
上述した（５）または（６）によれば、第１のデータである画像と、第２のデータである画像のすくなくとも１つを加工して組み合わせて提供することができる。
【図面の簡単な説明】
【００１７】
【図１】第１実施形態に係る情報提供装置の構成例を示すブロック図である。
【図２】第１実施形態に係る第１記憶部が記憶する情報例を示す図である。
【図３】第１実施形態に係る第２記憶部が記憶する情報例を示す図である。
【図４】第１実施形態に係る情報提供装置の使用手順の概略を説明するための図である。
【図５】第１実施形態に係る情報提供装置によって提供される第１の画像と第２の画像の例である。
【図６】第１実施形態に係る情報提供装置が行う処理手順例を示すフローチャートである。
【図７】第１実施形態に係る第１記憶部が第１のワードに基づいて記憶する情報例を示す図である。
【図８】第１実施形態に係る第２記憶部が第２のワードに基づいて記憶する情報例を示す図である。
【図９】第１実施形態の変形例における情報提供装置が行う処理手順例を示すフローチャートである。
【図１０】第２実施形態に係る情報提供装置の構成例を示す図である。
【図１１】第２実施形態に係る第１の画像と第２の画像と、加工されて合成された画像の一例を示す図である。
【図１２】第２実施形態に係る情報提供装置が行う処理手順例を示すフローチャートである。
【発明を実施するための形態】
【００１８】
以下、本発明の実施の形態について図面を参照しながら説明する。
【００１９】
［第１実施形態］
図１は、本実施形態に係る情報提供装置１の構成例を示す図である。図１に示すように、情報提供装置１は、第１記憶部１０１、第１抽出部１０２、第２記憶部１０３、第２抽出部１０４、通信部１０５、および組合部１０７を備える。
また、情報提供装置１には、表示部２１、および操作部２３が接続されている。
【００２０】
表示部２１は、液晶表示装置、有機ＥＬ（Ｅｌｅｃｔｒｏ  Ｌｕｍｉｎｅｓｃｅｎｃｅ）表示装置、電子インク表示装置等である。表示部２１は、組合部１０７が出力する画像を表示する。
【００２１】
操作部２３は、キーボード、マウス、タブレット、タッチパネルセンサ等である。操作部２３は、利用者が操作した操作結果を検出し、検出した操作結果を第１抽出部１０２に出力する。なお、操作部２３は、情報提供装置１と無線ネットワークを介して接続されていてもよい。この場合、操作部２３は、タブレット端末、スマートフォン等であってもよい。なお、利用者は、操作部２３を操作して第１データ群のワードを入力する。
【００２２】
第１記憶部１０１は、ジャンルとジャンルに対応する画像から構成される第１データ群を記憶する。ここで、第１記憶部１０１が記憶するジャンルは、例えばディスカッションのテーマである。また、ジャンルはディスカッションテーマの種類である。なお、第１記憶部１０１は、予め第１データ群を記憶していてもよい。すなわち、第１記憶部１０１は、第１のデータ群に、ジャンル分けしたデータ群を記憶している。なお、第１記憶部１０１が記憶する情報については後述する。なお、第１記憶部１０１が記憶する情報は、クラウド上に置かれていてもよい。また、第１記憶部１０１は、複数のジャンルを記憶する場合、ジャンル毎に、ディスカッションを行う順番または優先順位またはディスカッションを行う日時等を関連付けて記憶するようにしてもよい。なお、画像は静止画であってもよく、動画であってもよく、イラストであってもよく、アニメーションであってもよい。
【００２３】
第１抽出部１０２は、操作部が出力した検出結果に基づいて第１記憶部１０１が記憶する第１データ群からジャンルに対応する１つの画像を第１の画像（第１のデータ）として抽出し、抽出した第１の画像を組合部１０７に出力する。また、第１抽出部１０２は、ジャンルを示す情報を第２抽出部１０４に出力する。
または、第１抽出部１０２は、ジャンルに対応する画像（第１の画像）を、例えば通信部１０５を介してインターネット上から画像検索エンジンを用いて検索した結果に基づいて取得するようにしてもよい。第１抽出部１０２は、例えば検索結果の上位の少なくとも１つの画像を取得するようにしてもよい。第１抽出部１０２は、取得した第１データ群のワードに、取得した画像を対応付けて第１記憶部１０１に記憶させるようにしてもよい。なお、第１のワードに対応する第１の画像は、利用者が用意して第１記憶部１０１に記憶させてもよい。
【００２４】
第２記憶部１０３は、ジャンルに対応する第２の画像から構成される第２データ群を記憶する。第２記憶部１０３は、第２の画像を符号１０３１に示すようにジャンル毎に区分して画像を記憶する。ジャンルが複数ある場合、第２記憶部１０３は、ジャンル毎に第２データ群を記憶する。なお、第２記憶部１０３は、予め第２データ群を記憶していてもよい。すなわち、第２記憶部１０３は、前記第２データ群に、第１データ群のジャンルに関連したデータ群を記憶する。なお、第２記憶部１０３が記憶する情報については後述する。なお、第２記憶部１０３が記憶する情報は、クラウド上に置かれていてもよい。
【００２５】
第２抽出部１０４は、第１抽出部１０２が出力するジャンルを示す情報を取得する。第２抽出部１０４は、第２記憶部１０３が記憶する第２データ群の中から、ジャンルに対応する第２データ群中から、１つの画像を第２の画像（第２のデータ）として抽出し、抽出した第２の画像を組合部１０７に出力する。
なお、第２抽出部１０４は、取得したジャンルを示す情報に対応した少なくとも１つの第２の画像を、通信部１０５を介して例えばインターネット上から検索して第２の画像を取得するようにしてもよい。
【００２６】
通信部１０５は、無線通信部または有線通信部である。通信部１０５は、第１抽出部１０２の指示に応じて、ジャンルを画像検索エンジンで検索した画像を取得し、取得した画像を第１抽出部１０２に出力する。通信部１０５は、第２抽出部１０４の指示に応じて、ジャンルを画像検索エンジンで検索した画像を取得し、取得した画像を第２抽出部１０４に出力する。
【００２７】
組合部１０７は、第１抽出部１０２が出力する第１の画像と、第２抽出部１０４が出力する第２の画像とを表示部２１に出力する。なお、表示部２１に表示される画像は、第１の画像のテキスト情報と、第２の画像のテキスト情報とを含まない。画像のテキスト情報とは、画像の名称、または画像を識別するためのテキスト情報である。
【００２８】
次に、第１記憶部１０１が記憶する情報例を説明する。
図２は、本実施形態に係る第１記憶部１０１が記憶する情報例を示す図である。
図２に示すように、第１記憶部１０１は、ジャンルに第１データ群を対応付けて記憶する。図２に示す例では、ジャンルが「冬のスポーツ」であり、第１データ群が「スキー」の画像と「スケート」の画像と「カーリング」の画像、・・・である。なお、ジャンル毎の第１の画像は、少なくとも１つであればよい。また、第１記憶部１０１は、第１の画像「カーリング」に、画像Ｃ１を対応付けて記憶している。なお、第１の画像に対応する画像は複数であってもよい。また、第１記憶部１０１は、画像の名称のテキスト情報、または画像を識別するためのテキスト情報を、画像に対応付けて記憶するようにしてもよい。
【００２９】
次に、第２記憶部１０３が記憶する情報例を説明する。
図３は、本実施形態に係る第２記憶部１０３が記憶する情報例を示す図である。
図３に示すように、第２記憶部１０３は、ジャンル毎に第２データ群を対応付けて記憶する。図３に示す例では、ジャンルが「冬のスポーツ」であり、第２データ群が「温泉」の画像と「登山」の画像と「ドライブ」の画像、・・・である。なお、ジャンル毎の第２の画像は、少なくとも１つであればよい。また、第２記憶部１０３は、第２の画像「温泉」に、画像Ｄ１を対応付けて記憶している。なお、第２の画像に対応する画像は複数であってもよい。また、第２記憶部１０３は、画像の名称としてテキスト情報を、または画像を識別するためのテキスト情報を、画像に対応付けて記憶するようにしてもよい。
【００３０】
次に、情報提供装置１の使用手順の概略を説明する。
図４は、本実施形態に係る情報提供装置１の使用手順の概略を説明するための図である。
【００３１】
（ｉ）手順１；利用者は、操作部２３を操作して、ジャンル「冬のスポーツ」を選択する。例えば、情報提供装置１が、第１記憶部１０１が予め記憶するジャンルを表示部２１に表示させ、利用者が表示されたジャンルから選択してもよく、利用者が操作部２３を操作してジャンルを入力してもよい。
【００３２】
（ｉｉ）手順２；第１抽出部１０２は、第１記憶部１０１が記憶する情報において、選択されたジャンルに対応する第１データ群から１つの画像を第１の画像として抽出する。図４に示す例において、第１抽出部１０２はスキーの「画像Ａ１」（図２）を抽出する。
【００３３】
（ｉｉｉ）手順３；第２抽出部１０４は、第２記憶部１０３が記憶する情報において、選択されたジャンルに対応する第２データ群から１つの画像を第２の画像として抽出する。図４に示す例において、第２抽出部１０４は温泉の「画像Ｄ１」（図４）を抽出する。
【００３４】
（ｉｖ）手順４；組合部１０７は、スキーの「画像Ａ１」と、温泉の「画像Ｄ１」とを１つの画像として、例えば並べて表示部２１上に表示させる。なお、組合部１０７は、画像にテキスト情報が対応付けられていても、テキスト情報は表示させない。
【００３５】
図５は、本実施形態に係る情報提供装置１によって提供される第１の画像と第２の画像の例である。画像ｇ３１が表示部２１上に表示される画像である。画像ｇ３２は第１の画像である。画像ｇ３３は第２の画像である。なお、組合部１０７は、図５のように画像を左右に並べて表示してもよく、上下に並べて表示してもよく、左右の画像を入れ替えてもよく、上下の画像を入れ替えてもよい。また、組合部１０７は、表示後に、表示位置の入れ替え等を行ってもよい。
利用者は、このように提示された２つの画像から想起されるワードを検討する。
【００３６】
次に、情報提供装置１が行う処理手順例を説明する。
図６は、本実施形態に係る情報提供装置１が行う処理手順例を示すフローチャートである。
【００３７】
（ステップＳ１）第１抽出部１０２は、操作部２３の操作結果に基づいてジャンルを設定する。
（ステップＳ２）第１抽出部１０２は、ジャンルに対応する第１の画像を第１記憶部１０１から抽出する。
【００３８】
（ステップＳ３）第２抽出部１０４は、ジャンルに対応する第２の画像を第２記憶部１０３から抽出する。
（ステップＳ４）組合部１０７は、第１の画像と第２の画像を表示部２１に表示させる。
【００３９】
＜変形例＞
なお、第１抽出部１０２は、利用者によって選択されたジャンルに基づいて、第１の画像と第２の画像を抽出して提供する例を説明したが、これに限らない。
第１抽出部１０２は、利用者によって「ジャンル」として「冬のスポーツ」が選択された際、第１のワードとして「スキー」を第１データ群から抽出するようにしてもよい。
【００４０】
この場合、第１記憶部１０１は、第１データ群として、ジャンル毎に、第１のワードと当該第１のワードに対応する第１の画像を記憶するようにしてもよい。図７は、本実施形態に係る第１記憶部１０１が第１のワードに基づいて記憶する情報例を示す図である。図７に示すように、第１記憶部１０１は、ジャンルに第１データ群を対応付けて記憶する。図７に示す例では、ジャンルが「冬のスポーツ」であり、第１データ群が第１のワードと画像である。例えば、第１のワードが「スキー」のテキスト情報であり、この第１のワードに対応付けられている画像が「スキー」の画像Ａ１である。
【００４１】
この場合、第２記憶部１０３は、第２データ群として、ジャンル毎に、第２のワードと当該第２のワードに対応する第２の画像を記憶するようにしてもよい。図８は、本実施形態に係る第２記憶部１０３が第２のワードに基づいて記憶する情報例を示す図である。図８に示すように、第２記憶部１０３は、ジャンルに第２データ群を対応付けて記憶する。図８に示す例では、ジャンルが「冬のスポーツ」であり、第２データ群が第２のワードと画像である。例えば、第２のワードが「温泉」のテキスト情報であり、この第２のワードに対応付けられている画像が「温泉」の画像Ｄ１である。
【００４２】
図９は、本実施形態の変形例における情報提供装置１が行う処理手順例を示すフローチャートである。
【００４３】
（ステップＳ１１）第１抽出部１０２は、操作部２３の操作結果に基づいてジャンルを設定する。
【００４４】
（ステップＳ１２）第１抽出部１０２は、設定されたジャンルに基づいて、第１記憶部１０１が記憶する第１データ群の中から１つのワードを第１のワードとして抽出する。続けて、第１抽出部１０２は、抽出した第１のワードを第２抽出部１０４に出力する。なお、第１のワードは、利用者が操作部２３を操作して選択または設定してもよい。
（ステップＳ１３）第１抽出部１０２は、抽出した第１のワードに対応する第１の画像を第１記憶部１０１から読み込む。
【００４５】
（ステップＳ１４）第２抽出部１０４は、第１のワードに基づいて、第２記憶部１０３が記憶する第２データ群の中から１つのワードを第２のワードとして抽出する。
（ステップＳ１５）第２抽出部１０４は、抽出した第２のワードに対応する第２の画像を第２記憶部１０３から読み込む。
【００４６】
（ステップＳ１６）組合部１０７は、第１の画像と第２の画像を表示部２１に表示させる。
【００４７】
以上のように、本実施形態では、利用者によって選択されたジャンルに基づいて、第１の画像と第２の画像を抽出して提示するようにした。
または、本実施形態では、利用者によって選択されたジャンルにおいて、第１のワードを抽出し、第１のワードに対応する第１の画像を抽出する。そして、本実施形態では、第１のワードに基づき第２のワードを抽出し、第２のワードに対応する第２の画像を抽出する。さらに、本実施形態では、このようにして抽出した第１の画像と第２の画像を抽出して提示するようにした。
【００４８】
このように本実施形態によって提示された２つの画像から想起されるワードを検討することができる。この結果、本実施形態によれば、利用者のひらめきの創出を支援し、ひらめき創出の効率化を図ることができる。
【００４９】
［第２実施形態］
第１実施形態では、第１記憶部１０１が記憶する第１の画像と、第２記憶部１０３が記憶する第２の画像とを表示させる例を説明したが、これに限らない。
図１０は、本実施形態に係る情報提供装置１Ａの構成例を示す図である。図１０に示すように、情報提供装置１Ａは、第１記憶部１０１、第１抽出部１０２Ａ、第２記憶部１０３、第２抽出部１０４Ａ、通信部１０５、組合部１０７Ａ、および加工部１０６を備える。
また、情報提供装置１には、表示部２１、および操作部２３が接続されている。なお、情報提供装置１と同じ動作を行う機能部には、同じ符号を用いて説明を省略する。
【００５０】
第１抽出部１０２Ａは、操作部が出力した検出結果に基づいて第１記憶部１０１が記憶する第１データ群から１つのジャンルの画像を第１の画像として抽出し、抽出した第１の画像を加工部１０６に出力する。また、第１抽出部１０２Ａは、ジャンルを示す情報を第２抽出部１０４Ａに出力する。
【００５１】
第２抽出部１０４Ａは、第１抽出部１０２Ａが出力するジャンルを示す情報を取得する。第２抽出部１０４Ａは、第２記憶部１０３が記憶する第２データ群の中から、ジャンルに対応する１つの画像を第２の画像として抽出し、抽出した第２の画像を加工部１０６に出力する。
【００５２】
加工部１０６は、第１抽出部１０２Ａが出力する第１の画像を取得する。なお、第１の画像は、テキスト情報（図２）を含んでいてもよい。加工部１０６は、周知の画像認識の手法（二値化、特徴量抽出、輪郭抽出、パターンマッチング等）を用いて、第１の画像を認識する。また、加工部１０６は、第２抽出部１０４Ａが出力する第２の画像を取得する。なお、第２の画像は、テキスト情報（図３）を含んでいてもよい。加工部１０６は、周知の画像認識の手法を用いて、第２の画像を認識する。加工部１０６は、画像認識した結果に基づいて、第１の画像、第２の画像に対して加工する必要があるか否かを判別する。加工部１０６は、画像を加工する必要があると判別した場合、第１の画像、第２の画像に対して加工して、加工した第１の画像、第２の画像を組合部１０７Ａに出力する。なお、加工部１０６は、第１の画像、第２の画像に対して、例えば画像の学習モデルを用いて学習させた人工知能エンジンを用いて加工を行うか否かの判別と加工を行う。また、加工部１０６は、人工知能エンジンを用いて第１の画像と第２の画像とを合成した場合を考慮して加工を行う。画像の加工とは、画像の縮小、拡大、回転、反転、画像の変形、画像の切り取り、強調、色調、明度、彩度の変更等である。また、後述するように、例えば画像の対象が食品の場合に、その食品をカットしたり刻んだりすり下ろした状態の画像にすることも、本実施形態では画像の加工という。この場合、加工に用いられる画像は、予め第１記憶部１０１や第２記憶部１０３が記憶していてもよく、加工部１０６が通信部１０５を介して取得するようにしてもよい。例えば、加工部１０６は、加工すると判定した場合、加工がメロンのカットの場合、「カットされたメロン」のテキスト情報を検索エンジンを用いて検索して加工済みの画像または加工に用いる画像を取得するようにしてもよい。なお、加工部１０６は、例えば、検索して得られた画像が所望の画像（例、カレーライスに入れる具）に適した画像であるか否かを、画像認識の手法を用いて画像認識した結果に基づいて判定する。
【００５３】
組合部１０７Ａは、加工部１０６が出力する第１の画像と第２の画像とを合成して、合成した画像を表示部２１に出力する。なお、画像の合成を、加工部１０６が行うようにしてもよい。
【００５４】
図１１は、本実施形態に係る第１の画像と第２の画像と、加工されて合成された画像の一例を示す図である。
画像ｇ４１は、第１の画像であり、「カレーライス」の画像である。また、符号ｇ４１１は、ライスの画像の領域であり、符号ｇ４１２は、カレーの画像の領域である。画像ｇ４２は、第２の画像であり、「メロン」の画像である。画像ｇ４３は、メロンを入れたカレーライスの画像である。画像ｇ４３において、画像ｇ４３１は、カットされたメロンの画像である。
【００５５】
加工部１０６は、図１１の場合、第２の画像であるメロンの画像ｇ４２に対して、メロンをカットした画像ｇ４３１に加工する。なお、カットされたメロンの画像は、第２記憶部１０３が記憶していてもよく、第２抽出部１０４Ａを介して、ネットワークから取得するようにしてもよい。
【００５６】
また、加工部１０６は、このようにカットされたメロンの画像ｇ４３１を、第１の画像に重ねる際、適切な位置を画像認識した結果に基づいて求める。図１１において、加工部１０６は、カットされたメロンの画像ｇ４３１を配置する領域を、カレーの画像の領域ｇ４１２であると判別する。なお、加工部１０６は、カットされたメロンの画像ｇ４３１を配置する第１の画像において、第２の画像（カットされたメロンの画像ｇ４３１）を合成したときに違和感がないように、合成する位置に対して画像の濃度や透明度を調整するようにしてもよい。
【００５７】
なお、図１１に示した図や、図１１を用いた処理は一例であり、これに限らない。
例えば、加工部１０６は、第１の画像を加工し、加工した第１の画像に第２の画像を重ねて組み合わせてもよい。または、加工部１０６は、例えば、カレーライスの付け合わせとして、カットされたメロンの画像ｇ４３１を組み合わせて表示させるようにしてもよい。さらに、加工部１０６は、組み合わせに際して、第１の画像、第２の画像に対して、解像度の変更や拡大や縮小や色補正等の処理も行うようにしてもよい。
【００５８】
次に、情報提供装置１Ａが行う処理手順例を説明する。
図１２は、本実施形態に係る情報提供装置１Ａが行う処理手順例を示すフローチャートである。なお、以下の例は、第１実施形態の変形例に、画像を加工して構成する処理を適用した場合の処理例である。
【００５９】
（ステップＳ１１〜Ｓ１５）情報提供装置１Ａは、ステップＳ１１〜Ｓ１５の処理を行う。処理後、情報提供装置１Ａは、ステップＳ１０１の処理に進める。
【００６０】
（ステップＳ１０１）加工部１０６は、周知の画像認識の手法を用いて、第１の画像と第２の画像とを認識することで理解する。
【００６１】
（ステップＳ１０２）加工部１０６は、理解した結果に基づいて、画像を必要に応じて第１の画像と第２の画像に対して加工を行う。続けて、組合部１０７Ａは、加工された画像を合成する。
【００６２】
（ステップＳ１０３）組合部１０７Ａは、合成した画像を表示部２１上に提示する。
【００６３】
以上のように、本実施形態では、第１のワードに対応する第１の画像と、第２のワードに対応する第２の画像と、を単に並べて表示させるのではなく、加工して組み合わせて表示させるようにした。
これにより、本実施形態によれば、第１実施形態のように単に２つの画像を並べて表示した際とはことなるワードを、利用者に想起させることができる可能性がある。
【００６４】
なお、図１１に示した例では、加工後の画像を表示される例を説明したが、これに限らない。まず、情報提供装置１Ａは、加工前の第１の画像と、加工前の第２の画像を提示して、１回目のディスカッションを行った後に、加工後の画像を提示するようにしてもよい。また、情報提供装置１Ａは加工後の画像を提示する際、１つの画像を徐々に組み合わせていくようにアニメーションを用いて表示させるようにしてもよい。
【００６５】
また、情報提供装置１Ａは、２つの画像を提示した際に想起されたワードに基づいて、第１の画像と第２の画像を加工して組み合わせてもよい。例えば、図１１において、カレーライスにメロンを組み合わせる際に、想起されたワードが「メロンカレー」であった場合、情報提供装置１Ａは、カレーの色をメロンに合わせて白色や緑色に加工するようにしてもよい。
【００６６】
なお、第１実施形態、第２実施形態で説明した第１データ群は、予め設定されたデータであってもよい。
また、第１実施形態、第２実施形態で説明した第２データ群は、システム使用者によって予め設定されたデータであってもよい。
【００６７】
なお、第１実施形態、第２実施形態において、情報提供装置１（または１Ａ）は、第２データ群から第２の画像を抽出する際にランダムに選択してもよく、第１の画像（または第１のワード）と関連性が一番高い画像を選択してもよく、第１の画像（または第１のワード）と連性が一番関低い画像を選択するようにしてもよい。
【００６８】
また、第１実施形態において、情報提供装置１は、抽出した画像を加工して表示してもよい。例えば、図５において、情報提供装置１は、第１の画像に対して輝度やコントラスト等を変更して、第２の画像と組み合わせて提示してもよい。または、情報提供装置１は、第１の画像と第２の画像をグレースケール化して提示するようにしてもよい。このように、画像をグレースケール化して提示することで、より利用者の想起を助けることができる場合もある。
【００６９】
また、第１実施形態、第２実施形態において、表示部２１上に提示するデータの例として画像の例を説明したが、これに限らない。情報提供装置１（または１Ａ）は、画像に加えて、テキスト情報も表示させるようにしてもよい。なお、情報提供装置１（または１Ａ）は、表示の際、所定時間、画像のみを表示させた後にテキスト情報を表示させてもよく、操作部２３の操作に応じて表示させるようにしてもよい。
また、表示部２１上に提示するデータは、例えば音響データであってもよい。例えば、図５において、第１のデータがスキー場やスキーを行っているときの音響データであり、第２のデータが温泉の音響データ（例えばお湯が流れる音）等であってもよい。この場合、情報提供装置１（または１Ａ）は、２つの音響データを続けて再生するか、合成して再生するようにしてもよい。
【００７０】
なお、本発明における情報提供装置１（または１Ａ）の機能の全てまたは一部を実現するためのプログラムをコンピュータ読み取り可能な記録媒体に記録して、この記録媒体に記録されたプログラムをコンピュータシステムに読み込ませ、実行することにより情報提供装置１（または１Ａ）が行う処理の全てまたは一部を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００７１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００７２】
以上、本発明を実施するための形態について実施形態を用いて説明したが、本発明はこうした実施形態に何等限定されるものではなく、本発明の要旨を逸脱しない範囲内において種々の変形および置換を加えることができる。
【符号の説明】
【００７３】
１，１Ａ…情報提供装置、１０１…第１記憶部、１０２，１０２Ａ…第１抽出部、１０３…第２記憶部、１０４，１０４Ａ…第２抽出部、１０５…通信部、１０６…加工部、１０７，１０７Ａ…組合部、２１…表示部、２３…操作部
【図１】
2019179485.tif 000003
【図２】
2019179485.tif 000004
【図３】
2019179485.tif 000005
【図４】
2019179485.tif 000006
【図５】
2019179485.tif 000007
【図６】
2019179485.tif 000008
【図７】
2019179485.tif 000009
【図８】
2019179485.tif 000010
【図９】
2019179485.tif 000011
【図１０】
2019179485.tif 000012
【図１１】
2019179485.tif 000013
【図１２】
2019179485.tif 000014